(57)【要約】【課題】  柔軟な運用に対応することができ且つ低コストで設置できるクリーニングボックスを提供する。【解決手段】  利用者から預かった洗濯物の仕上品を収納する収納箱３０と、収納箱を開閉する扉３３と、扉３３を施錠・解錠する錠３５と、錠３５の施錠・解錠を制御する制御部４０とを備えたクリーニングボックス１０において、錠３５の開閉指示を入力する開閉指示入力手段を備えたリモートコントローラ６０を備えるとともに、制御部４０とリモートコントロール６０とを無線通信により接続した。【選択図】  図１
2005264591.tif 000002
【特許請求の範囲】
【請求項１】
利用者から預かった洗濯物の仕上品を収納する収納箱と、収納箱を開閉する扉と、扉を施錠・解錠する錠と、錠の施錠・解錠を制御する制御部とを備えたクリーニングボックスにおいて、
錠の開閉指示を入力する開閉指示入力手段が設けられたリモートコントローラを備えるとともに、制御部とリモートコントロールとを無線通信により接続した
ことを特徴とするクリーニングボックス。
【請求項２】
異常を警報する警報手段を備えるとともに、制御部はリモートコントローラとの通信経路が確立されていることを定期的に確認し通信経路が確立されていなことを検知すると警報手段により警報する
ことを特徴とする請求項１記載のクリーニングボックス。
【請求項３】
異常を警報する警報手段をリモートコントローラに設けるとともに、リモートコントローラは制御部との通信経路が確立されていることを定期的に確認し通信経路が確立されていなことを検知すると警報手段により警報する
ことを特徴とする請求項１記載のクリーニングボックス。
【請求項４】
利用者を認証する利用者認証手段を備え、
制御部は利用者認証手段により正当な利用者を検出すると解錠制御を行う
ことを特徴とする請求項１乃至３何れか１項記載のクリーニングボックス。
【請求項５】
前記利用者認証手段はコイン識別装置からなり、
制御部はコイン識別装置に特定コインが投入されたことを検出すると解錠制御を行う
ことを特徴とする請求項４記載のクリーニングボックス。
【請求項６】
異常を警報する警報手段を備えるとともに、利用者認証手段により正当でない利用者を検出すると警報手段により警報する
ことを特徴とする請求項４又は５何れか１項記載のクリーニングボックス。
【請求項７】
異常を警報する警報手段をリモートコントローラに設けるとともに、利用認証別手段により正当でない利用者を検出すると警報手段により警報する
ことを特徴とする請求項４又は５何れか１項記載のクリーニングボックス。
【発明の詳細な説明】
【技術分野】
【０００１】
本発明は、コンビニエンスストアなどの店舗に設置され、利用者から預かった洗濯物の仕上品を収納するクリーニングボックスに関する。
【背景技術】
【０００２】
従来、この種のクリーニングボックスとしては特許文献１に記載のものが知られている。このクリーニングボックスは、利用者からの洗濯物を受け付ける受付機と、クリーニング後の仕上品を収納するロッカー部とを備えており、無人店舗等に設置される。受付機は、洗濯物を投入する投入口に設けられた投入扉と、会員カードから会員情報を読み取るカードリーダとを備えている。受付機に設けられた制御部は、会員カードから読みとった情報が正当であるならば投入扉を解錠するとともに、洗濯物の投入を検知すると該投入扉を施錠する制御を行う。また、ロッカー部は、複数のロッカーを有し、各ロッカーは受付機の制御により自動的に施錠・解錠されるようになっている。
【特許文献１】特開平７−６５２３１号公報
【発明の開示】
【発明が解決しようとする課題】
【０００３】
しかし、上記特許文献１に記載のものは、無人店舗において洗濯物の預け入れ及び引き渡しを全て無人で行うことを前提としているため、利用者の認証機構や各機器の制御が複雑且つ大規模で結果としてコストの高いものとなっている。また、全ての処理を自動で行っているので、コンビニエンスストアなどの有人店舗に設置したとしても、例えばロッカーの施錠・解錠などを店員が任意に行うことができず、したがって柔軟な運用が困難であるという問題もある。
【０００４】
本発明は、上記事情に鑑みてなされたものであり、その目的とするところは、柔軟な運用に対応することができ且つ低コストで設置できるクリーニングボックスを提供することにある。
【課題を解決するための手段】
【０００５】
上記目的を達成するために、本願発明は、利用者から預かった洗濯物の仕上品を収納する収納箱と、収納箱を開閉する扉と、扉を施錠・解錠する錠と、錠の施錠・解錠を制御する制御部とを備えたクリーニングボックスにおいて、錠の開閉指示を入力する開閉指示入力手段が設けられたリモートコントローラを備えるとともに、制御部とリモートコントロールとを無線通信により接続したことを特徴とする。
【０００６】
本発明によれば、設置場所の店員がリモートコントローラにより錠の施錠・解錠を任意に行うことができるので状況に応じた柔軟な運用が可能となる。なお、このリモートコントローラは、悪戯等を防止するために一般利用者が操作できない場所に配置する必要がある。本発明ではリモートコントローラと制御部が無線により接続しているのでリモコン用の配線を店内に引き回す必要がない。したがって、設置場所の選択の幅が広がるとともに導入の手間及びコストも小さいものとなる。
【０００７】
本発明に係るクリーニングボックスでは制御部・リモートコントロール間の通信経路が無線により構築されているので、制御部側又はリモートコントローラ側の一方又は双方に警報手段を設け、定期的に通信経路が確立しているかをチェックし、通信経路に異常が生じたら警報を発するようにすると好適である。警報手段としては、ＬＥＤなど視覚に訴えるもの、ブザーなど聴覚に訴えるものなど種々のものが採用可能である。
【０００８】
また、利用者認証手段を設け、この利用者認証手段で正当な利用者を検出したら錠の解錠を行うようにすれば、さらに柔軟な運用が可能となる。利用者認証手段としては、磁気カードやＩＣカードなどを用いるもの、コイン識別装置を用いるものなど種々のものが採用可能である。特に、コイン識別装置を用いるものは低コストで構築できる点では好適である。また、制御部側又はリモートコントローラ側の一方又は双方に警報手段を設け、利用者認証手段で不正な利用者を検出したら警報を発するようにすると好適である。警報手段としては前述したものと同様である。
【発明の効果】
【０００９】
以上説明したように本発明によれば、設置場所の店員がリモートコントローラにより錠の施錠・解錠を任意に行うことができるので状況に応じた柔軟な運用が可能となる。また、リモートコントローラと制御部が無線により接続しているのでリモコン用の配線を店内に引き回す必要がなく、設置場所の選択の幅が広がるとともに導入の手間及びコストも小さいものとなる。
【発明を実施するための最良の形態】
【００１０】
本発明の一実施の形態に係るクリーニングボックスについて図面を参照して説明する。図１はクリーニングボックスの正面図、図２は図１のクリーニングボックスのＡ−Ａ線断面図である。
【００１１】
本実施の形態に係るクリーニングボックス１０は、コンビニエンスストアなど洗濯物の取り次ぎサービスを行う店舗に設置されるものである。この取り次ぎサービスは、洗濯物の受け付けと仕上品の引き渡しとに大別される。本実施の形態に係るクリーニングボックス１０は、後者の仕上品の引き渡しに供するものである。洗濯物の受け付けは、店員がカウンターで行ってもよいが、専用の洗濯物の受付機を用いる場合が多い。そこで、図１に示すように、この種の受付機９０と本実施の形態に係るクリーニングボックス１０とは高さ・色・模様などデザインを統一すると好ましい。なお、受付機９０と本実施の形態に係るクリーニングボックス１０とがセットでクリーニングボックスと呼ばれる場合もある。
【００１２】
このクリーニングボックス１０は、前面開口の外箱２０と、外箱２０の内側に収納された内箱３０とを備えている。これら外箱２０及び内箱３０はそれぞれ板金を折り曲げ加工することにより形成されている。内箱３０により囲まれた空間は、クリーニングされた仕上品を収納する仕上品収納部３１となっている。
【００１３】
仕上品収納部３１には、左右の内壁間に亘る複数（本実施の形態では３つ）のパイプ３２が付設されている。このパイプ３２は、所定の仕上品収納袋に収納された仕上品を釣り下げるためのものである。各パイプ３２は、収納部３１の前後方向中央部付近において、所定間隔で上下に並んで設けられている。
【００１４】
仕上品収納部３１の前面には、外箱２０の左右端部を軸として前方に開閉する仕上品扉３３が設けられている。仕上品扉３３の前面の中央部は、利用者が収納部３１内の仕上品を目視できるように透明板がはめ込まれた前面窓３３ａが設けられている。さらに、仕上品収納部３１の上面には、外光を採り入れるために半透明板がはめ込まれた天井窓（図示省略）が設けられている。
【００１５】
仕上品収納部３１の内壁面の上前端部には仕上品扉３３の開閉状態を検知する扉開閉センサ３４が設けられている。さらに、扉開閉センサ３４の下方には、仕上品扉３３を施錠・解錠する電磁ロック３５が設けられている。この電磁ロック３５はソレノイド式のロック機構を有しており後述の制御装置４０の制御信号によりプランジャ３５ａが上下動する。仕上品扉３３には電磁ロック３５に対応する位置に係止片３６が付設されている。係止片３６には係止孔（図示省略）が形成されており、この係止孔にプランジャ３５ａが挿通することで仕上品扉３３がロックされる。また、電磁ロック３５の近傍にはマグネット３７が付設されている。これにより、これにより利用者が仕上品扉３３を閉じた場合に、仕上品扉３３が反動で再び開いたりせず、閉鎖状態を安定して維持することができる。また、仕上品収納部３１の後端上部には制御装置４０が配置されている。
【００１６】
外箱２０の外壁面上部にはコインセレクタ５０が付設されている。コインセレクタ５０は、箱状の筐体の前面にコイン投入口５１と、コイン返却レバー５２と、コイン返却口５３とを備えている。このコインセレクタ５０は、投入コインが特定のコインであるか否かを検出する。なお、コインとしては硬貨である必要はない。なお、特定のコインは、クリーニング取り次ぎサービスの提供を受ける利用者に、予め又は洗濯物の受け付け時に配布するものである。これにより、特定コインを有しているか否かで利用者の認証を行う。
【００１７】
クリーニングボックス１０は、リモートコントローラ（以下「リモコン」と称する。）６０を備えている。リモコン６０と制御装置４０とは、後述するように無線により接続されている。このリモコン６０は、悪戯や盗難などを防止するために利用者の手が届かず店員のみが操作できる位置に配置される。図３にリモコンの正面図を示す。図３に示すように、リモコン６０は、電磁ロック３５の解錠指示を入力する解錠ボタン６１と、電磁ロック３５の解錠・施錠状態を表示する解錠表示灯６２と、仕上品扉３３の開閉状態を表示する扉開放表示灯６３と、各種の異常を光で表示する異常表示灯６４と、ブザー（図３では図示省略）６５とを備えている。
【００１８】
次に、クリーニングボックス１０の制御系について図４及び図５を参照して説明する。図４はクリーニングボックス本体の制御ブロック図、図５はリモコンの制御ブロック図である。
【００１９】
クリーニングボックス本体の制御装置４０は、図４に示すように、扉開閉センサ３４，電磁ロック３５，ブザー４１と、コインセレクタ５０と、アンテナ４２を備えた無線送受信機４３とが接続されている。また、リモコン６０の制御装置６６は、図５に示すように、解錠ボタン６１と、解錠表示灯６２と、扉開放表示灯６３と、異常表示灯６４と、ブザー６５と、アンテナ６７を備えた無線送受信機６８とが接続されている。各制御装置４０，６６は、ＣＰＵ・メモリ・タイマなどを集積した所謂ワンチップマイコンを備えている。
【００２０】
次に、クリーニングボックス１０の動作について図６〜図１１を参照して説明する。まず、クリーニングボックス本体の制御装置４０の動作について図６〜図９を参照して説明する。
【００２１】
制御装置４０は、図６に示すように、待機中にリモコン６０から電磁ロック３５の解錠指示を受信すると（ステップＳ１）、後述する扉の開閉処理を行う（ステップＳ２）。また、コインセレクタ５０にコインが投入されたことを検知すると（ステップＳ３）、後述するコイン処理を行う（ステップＳ４）。また、制御装置４０は、所定の設定時間（例えば１０分）毎に（ステップＳ５）、リモコン６０との疎通確認を処理を行う（ステップＳ６）。
【００２２】
前記ステップＳ２の扉の開閉処理について図７を参照して説明する。制御装置４０は、電磁ロック３５を解錠するよう制御し（ステップＳ１１）、解錠通知をリモコン６０に送信する（ステップＳ１２）。次に、扉開閉センサ３４により仕上品扉３３の開放を検出すると（ステップＳ１３）、扉開放通知をリモコン６０に送信する（ステップＳ１４）。その後、扉開閉センサ３４により仕上品扉３３の閉鎖を検出すると（ステップＳ１５）、扉閉鎖通知をリモコン６０に送信する（ステップＳ１６）。そして、電磁ロック３５を施錠するよう制御し（ステップＳ１７）、施錠通知をリモコン６０に送信する（ステップＳ１８）。
【００２３】
前記ステップＳ１２で電磁ロック３５の解錠したが所定時間（例えば２０秒）経過しても仕上品扉３３の開放を検出しない場合（ステップＳ１３）、制御装置４０は、ブザー４１を用いて「ピッピッピッ」などの警告音を短く鳴らすとともに（ステップＳ１９）、エラー通知をリモコン６０に送信する（ステップＳ２０）。そして、電磁ロック３５を施錠するよう制御し（ステップＳ２１）、施錠通知をリモコン６０に送信する（ステップＳ２２）。
【００２４】
前記ステップＳ１３で仕上品扉３３の開放を検出したが所定時間（例えば２０秒）経過しても仕上品扉３３の閉鎖を検出しない場合（ステップＳ１５）、制御装置４０は、ブザー４１を用いて「ピッピッピッ」などの短く警告音を鳴らすとともに（ステップＳ２３）、エラー通知をリモコン６０に送信する（ステップＳ２４）。
【００２５】
次に、前記ステップＳ４のコイン処理について図８を参照して説明する。制御装置４０は、コインセレクタ５０に投入されたコインが特定のコインであるか否かを判定し（ステップＳ３１）、特定コインの場合には図７を参照して前述した扉の開閉処理（ステップＳ３２：ステップＳ１１〜Ｓ２４）を行い、次いで投入コインを収納するようにコインセレクタ５０を制御する（ステップＳ３３）。一方、特定コインでない場合には、ブザー４１を用いて「ピーピーピー」などの警告音を短く鳴らすとともに（ステップＳ３４）、エラー通知をリモコン６０に送信する（ステップＳ３５）。そして、投入コインを返却するようにコインセレクタ５０を制御する（ステップＳ３６）。
【００２６】
次に、前記ステップＳ６の疎通確認処理について図９を参照して説明する。制御装置４０は、疎通確認用の信号をリモコン６０に送信し（ステップＳ４１）、その応答を待つ（ステップＳ４２）。所定時間（例えば１秒）経過してもリモコン６０からの応答がない場合には（ステップＳ４１）、所定回数（例えば５回）リトライする（ステップＳ４３）。無応答が所定回数となったら（ステップＳ４３）、ブザー４１を用いて「ピッピッピッ…」などの警告音を長く鳴らす（ステップＳ４４）。また、前記ステップＳ４２でリモコン６０からの応答信号を受信しても、その応答信号が正常でないならば（ステップＳ４５）、ブザー４１を用いて「ピッピッピッ…」などの警告音を長く鳴らす（ステップＳ４４）。
【００２７】
次に、リモコン６０の制御装置６６の動作について図１０〜図１１を参照して説明する。
【００２８】
リモコン６０の制御装置６６は、解錠ボタン６１の押下を検出すると（ステップＳ５１）、クリーニングボックス本体の制御装置４０に解錠指示を通知する（ステップＳ５２）。また、クリーニングボックス本体の制御装置４０から各種通知を受けると該通知に応じた動作を行う。すなわち、解錠通知を受信すると（ステップＳ５３）、解錠表示灯６２を点灯させ（ステップＳ５４）、施錠通知を受信すると（ステップＳ５５）、解錠表示灯６２を消灯させる（ステップＳ５６）。また、扉開放通知を受信すると（ステップＳ５７）、扉開放表示灯６３を点灯させ（ステップＳ５８）、扉閉鎖通知を受信すると（ステップＳ５９）、扉開放表示灯６３を消灯させる（ステップＳ６０）。さらに、エラー通知を受信すると（ステップＳ６１）、異常表示灯６４を点灯させるとともに（ステップＳ６２）、ブザー６５を用いて「ピッピッピッ」などの警告音を短く鳴らす（ステップＳ６３）。また、制御装置６６は、所定の設定時間（例えば１０分）毎に（ステップＳ６４）、クリーニングボックス本体の制御装置４０との疎通確認を処理を行う（ステップＳ６５）。
【００２９】
ステップＳ６５の疎通確認処理について図１１を参照して説明する。制御装置６６、疎通確認用の信号をクリーニングボックス本体の制御装置４０に送信し（ステップＳ７１）、その応答を待つ（ステップＳ７２）。所定時間（例えば１秒）経過しても制御装置４０からの応答がない場合には（ステップＳ７２）、所定回数（例えば５回）リトライする（ステップＳ７３）。無応答が所定回数となったら（ステップＳ７３）、異常表示灯６４を点灯させるとともに（ステップＳ７４）ブザー６５を用いて「ピッピッピッ…」などの警告音を長く鳴らす（ステップＳ７５）。また、前記ステップＳ７２で制御装置４０からの応答信号を受信しても、その応答信号が正常でないならば（ステップＳ７６）、異常表示灯６４を点灯させるとともに（ステップＳ７４）ブザー６５を用いて「ピッピッピッ…」などの警告音を長く鳴らす（ステップＳ７５）。
【００３０】
このような処理により、店員等がリモコン６０の解錠ボタン６１を押下すると電磁ロック３５が解錠されて仕上品扉３３の開放が可能となるので、利用者は仕上品収納部３１に収納されている仕上品を取り出すことが可能となる。また、利用者が特定のコインをコインセレクタ５０に投入することでも、同様に仕上品の取り出しが可能となる。また、電磁ロック３５の解錠・施錠、仕上品扉３３の開放・閉鎖が行われると、これに対応してリモコン６０の解錠表示灯６２・扉開放表示灯６３が点灯・消灯する。さらに、電磁ロック３５が解錠されたのに仕上品扉３３が開放されたなかった場合、仕上品扉３３が開放された後に閉鎖されたなかった場合、特定コイン以外のコインが投入された場合、クリーニングボックス１０の制御装置４０とリモコン６０間の通信経路に異常が生じた場合には、本体側において警報が発せられるとともに、リモコン６０側において警報及び異常表示灯６４が点灯する。
【００３１】
以上のように、本実施の形態に係るクリーニングボックスによれば、店員等がリモコン６０により電磁ロック３５の施錠・解錠を任意に行うことができるので状況に応じた柔軟な運用が可能となる。また、リモコン６０とクリーニングボックス１０の制御装置４０間の通信経路が無線で構築されているので、リモコン６０用の配線を店内に引き回す必要がなく、設置場所の選択の幅が広がるとともに導入の手間及びコストも少ないものとなる。さらに、定期的に無線通信経路に異常がないかを確認しているので安定的な運用が可能となる。
【００３２】
以上、本発明の実施形態について詳述したが、上記実施の形態は例示的なものであり、本発明はこれに限定されるものではない。本発明の範囲は特許請求の範囲に示されており、この特許請求の範囲の意味に入る全ての変形例は本発明に含まれるものである。
【００３３】
例えば、上記実施の形態では、洗濯物の受付部を備えていないが、本実施の形態に係るクリーニングボックス１０に洗濯物の受付部を併設した一体型であっても本発明を適用できる。
【００３４】
また、上記実施の形態では、利用者の認証手段としてコインセレクタを用いたが、磁気カードやＩＣカードなど種々のものを用いることができる。特に、洗濯物の受付機が利用者の認証手段を有している場合、これを共有する事も考えられる。なお、上記実施の形態では、コインセレクタという利用者の認証手段を設けているが、利用者認証手段は必須ではない。
【００３５】
また、上記実施の形態では、リモコン６０に各種表示灯６２，６３，６４及びブザー６５を備えているが、これらは必須ではない。すなわち、解錠指示の入力手段を備えていればよい。
【図面の簡単な説明】
【００３６】
【図１】クリーニングボックスの正面図
【図２】図１のクリーニングボックスのＡ−Ａ線断面図
【図３】リモコンの正面図
【図４】クリーニングボックス本体の制御ブロック図
【図５】リモコンの制御ブロック図
【図６】クリーニングボックス本体の動作を説明するフローチャート
【図７】クリーニングボックス本体の動作を説明するフローチャート
【図８】クリーニングボックス本体の動作を説明するフローチャート
【図９】クリーニングボックス本体の動作を説明するフローチャート
【図１０】リモコンの動作を説明するフローチャート
【図１１】リモコンの動作を説明するフローチャート
【符号の説明】
【００３７】
１０…クリーニングボックス、２０…外箱、３０…内箱、３１…仕上品収納部、３２…パイプ、３３…仕上品扉、３４…扉開閉センサ、３５…電磁ロック、３６…係止片、３７…マグネット、４０…制御装置、４１…ブザー、４２…アンテナ、４３…無線送受信機、５０…コインセレクタ、５１…投入口、５２…コイン返却レバー、５３…コイン返却口、６０…リモコン、６１…解錠ボタン、６２…解錠表示灯、６３…扉開放表示灯、６４…異常表示灯、６５…ブザー、６６…制御装置、６７…アンテナ、６８…無線送受信機
【図１】
2005264591.tif 000003
【図２】
2005264591.tif 000004
【図３】
2005264591.tif 000005
【図４】
2005264591.tif 000006
【図５】
2005264591.tif 000007
【図６】
2005264591.tif 000008
【図７】
2005264591.tif 000009
【図８】
2005264591.tif 000010
【図９】
2005264591.tif 000011
【図１０】
2005264591.tif 000012
【図１１】
2005264591.tif 000013
【手続補正書】
【提出日】平成16年4月14日(2004.4.14)
【手続補正１】
【補正対象書類名】明細書
【補正対象項目名】００２６
【補正方法】変更
【補正の内容】
【００２６】
次に、前記ステップＳ６の疎通確認処理について図９を参照して説明する。制御装置４０は、疎通確認用の信号をリモコン６０に送信し（ステップＳ４１）、その応答を待つ（ステップＳ４２）。所定時間（例えば１秒）経過してもリモコン６０からの応答がない場合には（ステップＳ４２）、所定回数（例えば５回）リトライする（ステップＳ４３）。無応答が所定回数となったら（ステップＳ４３）、ブザー６５を用いて「ピッピッピッ…」などの警告音を長く鳴らす（ステップＳ４４）。また、前記ステップＳ４２でリモコン６０からの応答信号を受信しても、その応答信号が正常でないならば（ステップＳ４５）、ブザー４１を用いて「ピッピッピッ…」などの警告音を長く鳴らす（ステップＳ４４）。